(57)【要約】【課題】安全性が高く、取り扱い易いコンパクト丸形蛍光ランプを提供する。【解決手段】発光管１は管端部１０１ａ，１０１ｂを支持部材２の両端に固定され保持される。支持部材２の中央部分には口金２４０が設けられ、その裏側には保持取手２０７ａ，２０７ｂが設けられる。支持部材２は発光管保持穴２２０ａ，２２０ｂに装着された発光管保持部材２４６を介して発光管１を保持する。支持部材２の両端部であって発光管１とは反対側には、ランプカバーを装着するためのカバー取り付け突起２４７，２４８及びロックピン２４８ａが設けられている。カバー取り付け突起２４７，２４８はランプカバーの板状部分を挟み込み、ロックピン２４８ａがランプカバーのロック穴に嵌合することによって、支持部材２がランプカバーに固定される。【選択図】図２
2007273334.tif 000002
【特許請求の範囲】
【請求項１】
外部器具に取り付けられるコンパクト丸形蛍光ランプであって、
一連の放電路が略円形で平面状の発光面をなすように形成された２重渦巻形の発光管と、
口金を有し、一方の発光面に対向し、発光管端部にて前記発光管を支持する支持部材と、を備え、
前記支持部材のうち、前記発光管に対向する側とは反対側の部分に、前記外部器具に係止するための係止部が形成されている
ことを特徴とする蛍光ランプ。
【請求項２】
前記支持部材は、前記係止部が複数形成されている
ことを特徴とする請求項１に記載の蛍光ランプ。
【請求項３】
前記係止部は前記外部器具の一部を滑動自在に挟持する挟持部と、
前記挟持部が前記外部器具に対して滑動するのを規制する規制部と、を備える
ことを特徴とする請求項１に記載の蛍光ランプ。
【請求項４】
前記規制部は、ロックピンを備え、
前記ロックピンは、前記外部器具に設けられたロック穴に嵌合することによって、前記挟持部の滑動を規制する
ことを特徴とする請求項３に記載の蛍光ランプ。
【請求項５】
前記挟持部材は、前記発光管をなす２重渦巻形のほぼ中心を回転中心として前記蛍光ランプが回転されると、前記外部器具の一部を挟持した状態で滑動して、前記規制部によって滑動を規制される位置に至る
ことを特徴とする請求項３に記載の蛍光ランプ。
【請求項６】
一連の放電路が略円形で平面状の発光面をなすように形成された２重渦巻形の発光管と、
口金を有し、発光管端部にて前記発光管を支持する支持部材と、
前記発光管と前記支持部材とを保護するランプカバーと、を備え、
前記支持部材のうち、前記発光管に対向する側とは反対側の部分に係止部が形成されており、前記係止部にてランプカバーに係止される
ことを特徴とする蛍光ランプ。
【請求項７】
前記係止部は前記ランプカバーの一部を滑動自在に挟持する挟持部と、
前記挟持部が前記ランプカバーに対して滑動するのを規制する規制部と、を備える
ことを特徴とする請求項６に記載の蛍光ランプ。
【請求項８】
前記発光管をなす２重渦巻形のほぼ中心を回転中心として前記支持部材が回転されると、前記挟持部は前記ランプカバーの一部を挟持した状態で滑動して、前記規制部によって滑動を規制される位置に至る
ことを特徴とする請求項７に記載の蛍光ランプ。
【請求項９】
前記挟持部は先端が拡径された突起部を備え、
前記ランプカバーには、前記突起部の先端を通過させうる大きさから、前記突起部の先端が通過できない大きさに幅が変化する貫通穴が形成されており、
前記挟持部は、前記ランプカバーの貫通穴に前記突起部を貫通させた状態で滑動され、前記貫通穴の前記突起部の先端が通過できない位置にて前記規制部によって滑動を規制される
ことを特徴とする請求項８に記載の蛍光ランプ。
【請求項１０】
ランプカバーは有底筒状の本体部と前記本体部の開口を塞ぐように嵌着される塞口板とからなり、
前記本体部の内壁面には開口端に沿って第１の係止部が設けられ、
前記塞口板の外周には第１の係止部に対向する位置に第２の係止部が設けられ、
前記第１の係止部と前記第２の係止部とを係合することによって、前記塞口板が本体部に嵌着される
ことを特徴とする請求項６に記載の蛍光ランプ。
【請求項１１】
前記ランプカバーは有底筒状の本体部と、前記本体部の開口を塞ぐように嵌着される塞口板と、前記本体部と前記塞口板との間に介在する塞口リングとからなり、
前記本体部の内壁面には開口端に沿って第１の係止部が設けられ、
前記塞口リングの外周には前記第１の係止部に対向する位置に第２の係止部が設けられ、
前記塞口板を前記塞口リングに嵌合させ、前記第１の係止部と前記第２の係止部とを係合することによって、前記塞口板が前記本体部に嵌着される
ことを特徴とする請求項６に記載の蛍光ランプ。
【発明の詳細な説明】
【技術分野】
【０００１】
本発明は、蛍光ランプに関する。
【背景技術】
【０００２】
近年、地球環境を保全するために省エネルギー及び省資源が強く意識されるようになり、照明分野においては低効率の白熱電球や比較的大形の蛍光ランプに代わる光源として種々のコンパクト形蛍光ランプが開発されている。
コンパクト形蛍光ランプには、例えば、図７に示されるように、一連の放電路が略円錐面上を２重螺旋形状に旋回された発光管７０１を備えた蛍光ランプ７がある（例えば、特許文献１参照）。蛍光ランプ７は、いわゆる片口金タイプであって、発光管７０１の管端部７０１ａ，７０１ｂが口金７０２ａ付きの支持部材７０２に保持される。管端部７０１ａ，７０１ｂに封着された電極リード線（不図示）は口金７０２ａの電源接続端子に接続される。
【０００３】
また、他のコンパクト形蛍光ランプとして、図８に示すように、一連の放電路が略一平面上で２重渦巻形状に旋回された発光管８０１を備えた蛍光ランプ８がある（例えば、特許文献２参照）。この蛍光ランプ８は、いわゆる両口金タイプであって、発光管８０１の管端部８０１ａ，８０１ｂに一対の電源接続端子８０２ａ，８０２ｂが装着されている。
蛍光ランプ８は、発光管８０１の外形が略円盤形状であり、外形が略円錐形状の蛍光ランプ７よりも薄形なので、灯具を薄くすることができる。また、発光面が略円形のいわゆる面光源であるので、被照射面の配光分布が一様である。
【特許文献１】欧州共同体意匠２５８６１−０００５号公報
【特許文献２】特開平９−４５２８３号公報
【発明の開示】
【発明が解決しようとする課題】
【０００４】
しかしながら、コンパクト丸形蛍光ランプはその構造上、灯具に着脱するのが難しい。特に、蛍光ランプ８は口金８０２ａ，８０２ｂが２つあるため、灯具への着脱が難しい。このため、上手く取り扱わないと発光管８０１が傷ついたり、破損したりし易い。蛍光ランプ７は口金７０２ａがひとつであるので、灯具への着脱は比較的容易であるものの、灯具に装着した状態での安定性に欠ける。このため、外力が加わると蛍光ランプ７が灯具に衝突し易く、やはり発光管７０１の破損等を招き易い。
【０００５】
屈曲ガラス管、特に２重渦巻形のような屈曲ガラス管はそもそも肉薄であり機械的強度が低いこともあり、このような脆弱性は一般消費者に提供する灯具の安全性に関わる。このため、蛍光ランプ７，８のように、一連の放電路が略円形で平面状の発光面をなすように形成された２重渦巻形発光管を備えた蛍光ランプは未だ実用化に至っていない。
本発明は、上述のような問題に鑑みて為されたものであって、安全性が高く、取り扱い易い蛍光ランプを提供することを目的とする。
【課題を解決するための手段】
【０００６】
上記目的を達成するため、本発明に係るコンパクト丸形蛍光ランプは、外部器具に取り付けられるコンパクト丸形蛍光ランプであって、一連の放電路が略円形で平面状の発光面をなすように形成された２重渦巻形の発光管と、口金を有し、一方の発光面に対向し、発光管端部にて前記発光管を支持する支持部材と、を備え、前記支持部材のうち、前記発光管に対向する側とは反対側の部分に、前記外部器具に係止するための係止部が形成されていることを特徴とする。
【発明の効果】
【０００７】
このようにすれば、支持部材が口金に加えて係止部においても外部器具に係止されるので、発光管を外部器具に安定的に固定することができる。従って、発光管を破損し難くすることができるので、安全性が高く、取り扱い易い蛍光ランプを提供することができる。
また、前記支持部材は、前記係止部が複数形成されていることを特徴とする。このようにすれば、外部器具に対して発光管をより安定的に取り付けることができるので、発光管の破損を効果的に防止することができる。特に、発光管が大きい場合に有効である。
【０００８】
この場合において、前記係止部は前記外部器具の一部を滑動自在に挟持する挟持部と、前記挟持部が前記外部器具に対して滑動するのを規制する規制部と、を備えるとしても良く、前記規制部は、ロックピンを備え、前記ロックピンは、前記外部器具に設けられたロック穴に嵌合することによって、前記挟持部の滑動を規制するとすれば好適である。
また、前記挟持部材は、前記発光管をなす２重渦巻形のほぼ中心を回転中心として前記蛍光ランプが回転されると、前記外部器具の一部を挟持した状態で滑動して、前記規制部によって滑動を規制される位置に至ることを特徴とする。このようにすれば、支持部材を外部器具に取り付ける際に発光管の移動範囲を最小限に留めることができるので、例えば、外部器具を小型化する際に有効である。
【０００９】
また、一連の放電路が略円形で平面状の発光面をなすように形成された２重渦巻形の発光管と、口金を有し、発光管端部にて前記発光管を支持する支持部材と、前記発光管と前記支持部材とを保護するランプカバーと、を備え、前記支持部材のうち、前記発光管に対向する側とは反対側の部分に係止部が形成されており、前記係止部にてランプカバーに係止されることを特徴とする。
【００１０】
このようにすれば、発光管や支持部材がランプカバーに衝突し難いので、かかる衝突による発光管の破損を防止することができる。また、ランプカバー自体も発光管を保護して、その破損を防止する。また、ランプカバーごと灯具に装着すれば良いので、コンパクト丸形蛍光ランプの組立を容易にすることができる。
この場合において、例えば、前記係止部は前記ランプカバーの一部を滑動自在に挟持する挟持部と、前記挟持部が前記ランプカバーに対して滑動するのを規制する規制部と、を備えるとすれば良く、前記発光管をなす２重渦巻形のほぼ中心を回転中心として前記支持部材が回転されると、前記挟持部は前記ランプカバーの一部を挟持した状態で滑動して、前記規制部によって滑動を規制される位置に至るとすれば更に好適である。
【００１１】
また、前記挟持部は先端が拡径された突起部を備え、前記ランプカバーには、前記突起部の先端を通過させうる大きさから、前記突起部の先端が通過できない大きさに幅が変化する貫通穴が形成されており、前記挟持部は、前記ランプカバーの貫通穴に前記突起部を貫通させた状態で滑動され、前記貫通穴の前記突起部の先端が通過できない位置にて前記規制部によって滑動を規制されるとしても良い。
【００１２】
また、ランプカバーは有底筒状の本体部と前記本体部の開口を塞ぐように嵌着される塞口板とからなり、前記本体部の内壁面には開口端に沿って第１の係止部が設けられ、前記塞口板の外周には第１の係止部に対向する位置に第２の係止部が設けられ、前記第１の係止部と前記第２の係止部とを係合することによって、前記塞口板が本体部に嵌着されることを特徴とする。
【００１３】
このようにすれば、より少ない部品点数でランプカバーを実現することができるので、コンパクト丸形蛍光ランプのコストを低減することができる。
また、前記ランプカバーは有底筒状の本体部と、前記本体部の開口を塞ぐように嵌着される塞口板と、前記本体部と前記塞口板との間に介在する塞口リングとからなり、前記本体部の内壁面には開口端に沿って第１の係止部が設けられ、前記塞口リングの外周には前記第１の係止部に対向する位置に第２の係止部が設けられ、前記塞口板を前記塞口リングに嵌合させ、前記第１の係止部と前記第２の係止部とを係合することによって、前記塞口板が前記本体部に嵌着されることを特徴とする。
【００１４】
このようにすれば、塞口板と塞口リングとに相異なる材料を用いることができるので、例えば、塞口板には透光性が高い材料を塞口リングには堅牢な材料といったように、それぞれの用途に応じて最適な材料を用いることができる。
以上述べたように、本発明によれば、コンパクト丸形蛍光ランプを灯具に着脱する際に外力が加わったり表面が傷付いたりすることによって生じる発光管の破損を防止することができる。したがって、コンパクト丸形蛍光ランプの安全性を高め、取り扱い易くすることができる。
【発明を実施するための最良の形態】
【００１５】
以下、本発明に係る蛍光ランプの実施の形態について、コンパクト丸形蛍光ランプを例にとり、図面を参照しながら説明する。
本実施の形態に係るコンパクト丸形蛍光ランプは大きく分けて３つの部分からなる。すなわち、発光管、支持部材及びランプカバーである。
（１）  発光管
先ず、発光管の構成について説明する。本実施の形態に係る発光管は発光面が平面視、略円形の平面状であり、入力８０Ｗのコンパクト丸形蛍光ランプに用いられる。
【００１６】
図１は、本実施の形態に係る発光管の構成を示す図であって、（ａ）は平面図であり、（ｂ）は側面図である。
図１に示されるように、発光管１は、一連の屈曲ガラス管１０２からなる放電路が管中央部１０２ｃを中心として略一平面上で渦巻状に旋回された２重渦巻状を有している。そして、管中央部１０２ｃを跨いで略対向する管端部１０１ａ，１０１ｂには、タングステンフィラメントコイル電極１０３ａ，１０３ｂが気密封着されている。
【００１７】
タングステンフィラメントコイル電極１０３ａは、ビーズガラスマウント１５ａに保持された電極リード線１４ａ，１４ａ´間に架設されている。また、タングステンフィラメントコイル電極１０３ｂは、ビーズガラスマウント１５ｂに保持された電極リード線１４ｂ，１４ｂ´間に架設されている。
管端部１０１ａには、排気管１０６が封着されており、発光管内の空気を排気した後、先端部が封止される。発光管１内には水銀が５ｍｇと緩衝ガスとしてアルゴンが約３５０Ｐａ封入されている。
【００１８】
発光管１は、管中央部１０２ｃにて拡径されており、ランプ点灯時に最冷点個所となる。管中央部１０２ｃは、発光管１の主要部内径が４ｍｍ〜１８ｍｍの範囲内ならば、最冷点温度Ｔｃが５０℃〜６５℃の範囲内となるような形状となっている。
ガラス管１０２は、軟化点６７５℃の軟質ガラスであるバリウム・ストロンチｐウムシリケートガラスからなる。ガラス管１０２の内壁面には３種類の希土類蛍光体Ｙ２Ｏ３：Ｅｕ（赤発光）、ＬａＰＯ４：Ｃｅ，Ｔｂ（緑発光）及びＢａＭｇ２Ａｌ１６Ｏ２７：Ｅｕ，Ｍｎ（青発光）が塗布されている。
【００１９】
（２）  発光管１への支持部材の組み付け
図２は発光管１に支持部材を組み付けた状態を示す外観斜視図であって、（ａ）は発光管１側の外観を示し、（ｂ）は支持部材側の外観を示す。
図２に示されるように、発光管１の管端部１０１ａ，１０１ｂは支持部材２の両端に固定されることによって保持される。支持部材２の中央部分の一方には４つの電源接続端子が付いた口金２４０（ＪＩＳ−ＧＵ１０ｑ型）が設けられ、他方には保持取手２０７ａ，２０７ｂが立設して設けられている。保持取手２０７ａ，２０７ｂはランプ口金２４０を灯具ソケットに着脱する際に作業者が把持するのに用いられる。
【００２０】
支持部材２には、中央部付近から端部付近に至る発光管保持穴２２０ａ，２２０ｂが設けられており、この発光管保持穴２２０ａ，２２０ｂには複数個の発光管保持部材２４６が装着されている。発光管保持部材２４６は発光管保持穴２２０ａ，２２０ｂに沿って長手方向に滑動することができる。発光管保持部材２４６は発光管１を着脱可能に保持する。
【００２１】
支持部材２の両端部には、口金２４０が設けられた側に、ランプカバーを装着するためのカバー取り付け突起２４７，２４８及びロックピン２４８ａが設けられている。
すなわち、カバー取り付け突起２４７，２４８及びロックピン２４８ａは全体として係止部をなし、カバー取り付け突起２４７，２４８は外部器具たるランプカバーの一部を滑動自在に挟持する挟持部をなす。また、ロックピン２４８ａはカバー取り付け突起２４７，２４８がランプカバーに対して滑動するのを規制する規制部をなす。
【００２２】
（３）  ランプカバー
図３は支持部材２にランプカバー３を装着した図である。図３に示されるように、ランプカバー３は有底筒状のカバー本体３０１と前面蓋３０２とからなり、その内部に発光管１と支持部材２とを格納する。カバー本体３０１に固定フック３０１ｃが複数設けられており、また、前面蓋３０２には爪３０２ａが同数設けられている。この爪３０２ａを固定フック３０１ｃに嵌合することによって、前面蓋３０２がカバー本体３０１に固定される。
【００２３】
すなわち、前面蓋３０２はカバー本体３０１の開口を塞ぐように嵌着される塞口板となっており、第１の係止部たる固定フック３０１ｃと第２の係止部たる爪３０２ａとが係合することによってカバー本体３０１に嵌着される。
カバー本体３０１の底面中央には口金穴３０１ａが設けられ、口金２４０を露出させる。また、カバー本体３０１には、当該口金穴３０１ａを挟んで対向する一対の打ち抜き部３０１ｂが設けられている。打ち抜き部３０１ｂにカバー取り付け突起２４７を差し込んだ状態で口金２４０を中心に支持部材２を回動させると、カバー取り付け突起２４７先端の折り曲げ部分がカバー本体３０１の底面外側に当接し、カバー取り付け突起２４８が底面内側に当接する。
【００２４】
すなわち、カバー本体３０１には、先端が拡径された突起部たるカバー取り付け突起２４７の先端（折り曲げ部分）を通過させうる大きさから、カバー取り付け突起２４７の折り曲げ部分が通過できない大きさに幅が変化する貫通穴たる打ち抜き部３０１ｂが形成されている。
そして、カバー取り付け突起２４７，２４８は貫通穴たる打ち抜き部３０１ｂに突起部たるカバー取り付け突起２４７を貫通させた状態で滑動され、打ち抜き部３０１ｂにおける折り曲げ部分が通過できない位置にて規制部たるロックピン２４８ａにて滑動を規制される。
【００２５】
このようにカバー取り付け突起２４７，２４８がカバー本体３０１の底面を挟持することによって、支持部材２の当該回転軸方向の動きが規制される。また、カバー本体３０１底面内側にはロック穴３０１ｄが設けられており、ロックピン２４８ａと嵌合することによって、支持部材２の回動が規制される。このようにして、カバー本体３０１に支持部材２が固定される。
【００２６】
また、支持部材２が固定された状態でカバー本体３０１に前面蓋３０２を取り付けると、保持取手２０７ａ，２０７ｂが前面蓋３０２の内側に当接して、前面蓋３０２が支持される。
（４）  支持部材２の詳細
次に、支持部材２の詳細な構成について説明する。支持部材２は発光管１の管端部１０１ａ，１０１ｂを保持する本体と、発光管１に電極を供給する電力供給部材とからなる。本体と電力供給部材とはそれぞれ一体成形された樹脂部材であって、嵌合によって支持部材２に組み立てられる。
【００２７】
図４は、支持部材２の詳細な構成を示す分解図であって、（ａ）は支持部材２の本体を示し、（ｂ）は支持部材２の電力供給部材を示す。図４（ａ）に示されるように、本体４１は保持基板２０３と管端保持材２０４ａ，２０４ｂとからなる。保持基板２０３は、円形部分と、円形部分に接し円形部分を挟んで互いに対向する長尺方形部材とからなる。また、管端保持材２０４ａ，２０４ｂは、保持基板２０３に接し保持基板２０３を挟んで互いに対向する。
【００２８】
管端保持材２０４ａ，２０４ｂは、発光管端部１０１ａ，１０１ｂの外形に合わせて、有底の半円筒を先細にした形状を有し、発光管端部１０１ａ，１０１ｂを迎え入れる。
保持基板２０３の主面２０３ｂ中央の円形部分には保持取手２０７ａ，２０７ｂが立設して形成されている。また、保持基板２０３の他方の主面２０３ａ上には配線溝２０８ａ，２０８ａ´，２０８ｂ及び２０８ｂ´が形成されている。配線溝２０８ａ，２０８ａ´は電極リード線１０４ａ，１０４ａ´を発光管端部１０１ａから口金２４０へと導く。また、配線溝２０８ｂ，２０８ｂ´は電極リード線１０４ｂ，１０４ｂ´ を発光管端部１０１ａから口金２４０へと導く。
【００２９】
次に、図４（ｂ）に示されるように、電力供給部材４２は保持基板２０３に取着される電力供給基板２０９と、電力供給基板２０９を挟んで互いに対向する管端被覆部２３０ａ，２３０ｂとからなる。電力供給基板２０９の中央には口金２４０が付設されている。
口金２４０は、外形が略円筒形状の外枠材４０１を備え、その中央には平面視において略正方形状の凹部４０２が形成されている。凹部４０２内には電源接続端子ピン４０３ａ，４０３ａ´，４０３ｂ及び４０３ｂ´が発光管側とは反対側に立説して配設されている。電源接続端子ピン４０３ａ，４０３ａ´，４０３ｂ及び４０３ｂ´にはそれぞれ電極リード線１０４ａ，１０４ａ´，１０４ｂ及び１０４ｂ´がそれぞれかしめ接合される。
【００３０】
外枠材４０１の側壁にはその軸方向に沿って上底面から下底面に至る溝部４０４ａ，４０４ｂが形成されている。これによって、口金２４０が灯具ソケットに確実に嵌合される。
電力供給基板２０９には、カバー取り付け突起２４７，２４８が電力供給部材の両端にそれぞれ口金２４０を挟んで対称となるように形成されている。また、カバー取り付け突起２４７の上端にはロックピン２４７ａが形成されている。この突起２４７，２４８の隙間に、カバー本体３０１の打ち抜き部３０１ｂが挟まれて、固定される。
【００３１】
（５）  発光管保持部材２４６
次に、発光管保持部材２４６について説明する。
図５は、発光管保持部材２４６を示す外観斜視図である。図５に示されるように、発光管保持部材２４６は保持部５０１と掛合部５０２，５０３からなる弾性部材である。
保持部５０１は略Ｃ字形をしており、発光管１を迎え入れ、これを弾性力により保持する。なお、保持部５０１の両端には返しが付いており、この返しに発光管１に押し当てると、保持部５０１を弾性変形により開かせることができるので、発光管１を容易に取り付けることができる。
【００３２】
掛合部５０３の長手方向の長さは発光管保持穴２２０ａ，２２０ｂの短手方向の長さよりも大きく、掛合部５０３の短手方向の長さは発光管保持穴２２０ａ，２２０ｂの短手方向の長さよりも小さくなっている。また、掛合部５０２の長手方向の長さは発光管保持穴２２０ａ，２２０ｂの短手方向の長さよりも大きい。
このため、掛合部５０３を発光管保持穴２２０ａ，２２０ｂに差し込んで、９０度回転させると掛合部５０２，５０３にて支持部材２を挟み込んで、発光管保持部材２４６を支持部材２に固定することができる。
【００３３】
図６は、発光管保持部材２４６にて支持部材２に発光管１を固定した状態を示す断面図である。図６に示されるように、発光管保持部材２４６は発光管保持穴２２０ａ，２２０ｂに嵌め込まれて、支持部材２に固定され、保持部５０１にて発光管１を保持する。これによって、支持部材２はその両端部以外においても発光管１を保持することができる。
したがって、発光管１を安定的に保持することができるので、発光管１を破損し難くすることができる。よって、コンパクト丸形蛍光ランプの安全性を高めることができる。この効果はより大型のコンパクト丸形蛍光ランプにおいて顕著である。
【００３４】
発光管保持部材２４６は、発光管保持穴２２０ａ，２２０ｂに沿って容易に滑動させることができる。また、発光管保持穴２２０ａ，２２０ｂに複数の発光管保持部材２４６を取り付けることもできる。
したがって、発光管１の巻き数や巻きピッチが変化しても、同じ発光管保持部材２４６を用いて発光管１を保持することができるので、コンパクト丸形蛍光ランプの部品を共通化してコストを低減することができる。
【００３５】
（６）  コンパクト丸形蛍光ランプの組立方法
次に、本実施の形態に係るコンパクト丸形蛍光ランプの組立方法について説明する。
コンパクト丸形蛍光ランプを組み立てるに際しては、先ず、発光管１の管端部１０１ａ，１０１ｂを支持部材２の本体４１の管端保持材２０４ａ，２０４ｂに挿入し、シリコーン樹脂にて固定する。このとき、併せて、発光管１の管中央部１０２ｃを本体４１の主面２０３ｂであって、保持取手２０７ａ、２０７ｂの間にシリコーン樹脂にて固着する。
【００３６】
次に、発光管１の電極リード線１０４ａ，１０４ａ´，１０４ｂ及び１０４ｂ´を支持部材２の電力供給部材４２の口金２４０の電源接続端子ピン４０３ａ，４０３ａ´，４０３ｂ及び４０３ｂ´にかしめ接合にて接続する。
そして、本体４１と電力供給部材４２とを嵌合して、支持部材２とする。
発光管１等のランプカバー３への装着は、例えば、作業者が親指と人差し指とで保持取手２０７ａ，２０７ｂを把持することによって行なわれる。
【００３７】
このようにすれば、コンパクト丸形蛍光ランプを灯具に着脱する際に発光管に不要な力が加わったり、発光管表面が傷ついたり、或いは、発光管そのものの重量が大きいことに起因する発光管の破損を確実に防止することができる。
（７）  変形例
以上、本発明を実施の形態に基づいて説明してきたが、本発明が上述の実施の形態に限定されないのは勿論であり、以下のような変形例を実施することができる。
【００３８】
（ａ）  上記実施の形態においては、特に言及しなかったが、発光管１内に封入する水銀１７は、水銀単体のほかに、例えば亜鉛水銀及び錫水銀や、更にはビスマス・インジウム水銀などのアマルガムの形態で封入されても良い。また、緩衝ガスとしてアルゴン、ネオン、クリプトン等の混合ガスが封入されてもよい。
（ｂ）  上記実施の形態においては、支持部材２をカバー本体３０１に装着する場合について説明したが、本発明がこれに限定されないのは言うまでもなく、これに代えて、板状体に支持部材を装着し、有底筒状体を板状体に取着することによって発光管並びに支持部材を保護しても良い。
【００３９】
すなわち、ランプカバーは板状体と有底筒状体とからなり、支持部材が板状体に係止されることによって、ランプカバー内に支持部材と発光管とが装着、格納されるとしても良く、更に、有底筒状体はガラス等の透光性材料からなるとすれば好適である。
このようにすれば、板状体と有底筒状体との係合部分にて発光管の放射光が遮られたり屈折されたりし難いので、配光を一様にすることができる。
【００４０】
（ｃ）  上記実施の形態においては、特に言及しなかったが、前面蓋３０２は透光性のガラス材料からなるのが望ましい。また、カバー本体３０１には、例えば、ポリカーボネイトやアクリルといった材料を用いれば良い。この場合において、カバー本体３０１は透光性、すなわち、透明や半透明であっても良いし、遮光性、すなわち、不透明であっても良い。
【００４１】
（ｄ）  上記実施の形態においては、前面蓋３０２を直接カバー本体３０１に取着する場合について説明したが、本発明がこれに限定されないのは言うまでもなく、これに代えて、前面蓋３０２とカバー本体３０１との間にリング部材を介在させても良い。
すなわち、本体部たるカバー本体３０１と塞口板たる前面蓋３０２との間に塞口リングたるリング部材を介在させても良い。
【００４２】
この場合において、前面蓋３０２に形成された爪３０２ａと同様の爪をリング部材に形成すれば、リング部材とカバー本体３０１とを安定的に固定することができる。
また、カバー本体３０１の周方向に溝を設けると共に、リング部材にシリコーン等の弾性材料を用いても良い。このようにすれば、リング部材を弾性変形させることによって容易に溝に嵌め込むことができ、かつ、嵌め込んだ後はカバー本体３０１とリング部材とを安定的に固定することができる。また、ランプカバー３内に埃やごみが入り込み難くすることもできる。
【００４３】
また、リング部材にポリカーボネイトやアクリルを用いても良い。
【産業上の利用可能性】
【００４４】
本発明に係る蛍光ランプは、安全性が高く、取り扱い易い蛍光ランプとして有用である。
【図面の簡単な説明】
【００４５】
【図１】本発明の実施の形態に係る発光管の構成を示す図であって、（ａ）は平面図であり、（ｂ）は側面図である。
【図２】本発明の実施の形態に係る発光管に支持部材を組み付けた状態を示す外観斜視図であって、（ａ）は発光管側の外観を示し、（ｂ）支持部材側の外観を示す。
【図３】本発明の実施の形態に係る支持部材にランプカバーを装着した図である。
【図４】本発明の実施の形態に係る支持部材の詳細な構成を示す分解図であって、（ａ）は支持部材の本体を示し、（ｂ）は支持部材の電力供給部材を示す。
【図５】本発明の実施の形態に係る発光管保持部材を示す外観斜視図である。
【図６】本発明の実施の形態に係る発光管保持部材にて支持部材に発光管を固定した状態を示す断面図である。
【図７】従来技術に係る蛍光ランプの構成を示す図である。
【図８】従来技術に係る蛍光ランプの構成を示す図である。
【符号の説明】
【００４６】
１，７０１，８０１  発光管
２，７０２  支持部材
３  ランプカバー
７，８  蛍光ランプ
４１  本体
１０１ａ，１０１ｂ  管端部
１０２  ガラス管
１０２ｃ  管中央部
１０３ａ，１０３ｂ  フィラメントコイル電極
１０４ａ，１０４ａ´，１０４ｂ，１０４ｂ´  電極リード線
１０５ａ，１０５ｂ  ビーズガラスマウント
１０６  排気管
２０３  保持基板
２０３ａ，２０３ｂ  主面
２０４ａ，２０４ｂ  管端保持材
２０７ａ，２０７ｂ  保持取手
２０８ａ，２０８ａ´，２０８ｂ，２０８ｂ´  配線溝
２０９  電力供給基板
２２０ａ，２２０ｂ  発光管保持穴
２３０ａ，２３０ｂ  管端被覆部
２４０，７０２ａ，８０２ａ，８０２ｂ  口金
２４６  発光管保持部材
２４７，２４８  カバー取り付け突起
２４８ａ  ロックピン
３０１  カバー本体
３０１ａ  口金穴
３０１ｂ  打ち抜き部
３０１ｃ  固定フック
３０１ｄ  ロック穴
３０２  前面蓋
３０２ａ  爪
４０１  外枠材
４０２  凹部
４０３ａ，４０３ａ´，４０３ｂ，４０３ｂ´  電源接続端子ピン
４０４ａ，４０４ｂ  溝部
５０１  保持部
５０２，５０３  掛合部
７０１ａ，７０１ｂ，８０１ａ，８０１ｂ  管端部
【図１】
2007273334.tif 000003
【図２】
2007273334.tif 000004
【図３】
2007273334.tif 000005
【図４】
2007273334.tif 000006
【図５】
2007273334.tif 000007
【図６】
2007273334.tif 000008
【図７】
2007273334.tif 000009
【図８】
2007273334.tif 000010